(57)【要約】【課題】  パトローネ型固体撮像装置のバッテリ電源の消耗を抑制する。【解決手段】  バッテリ電源２５からの電力供給を受けて動作する制御部３３と、制御部３３からの電源投入指令があったときバッテリ電源２５の電力を画像処理等を行う電子回路に供給するスイッチ５１ｂと、パトローネ型の筐体とは別体に構成され制御部３３に無線を介して接続されるカメラ用アタッチメントであって、フィルムカメラのレリーズボタンに重ねて装着されレリーズボタンと一体に押下されるボタンと、該ボタンに対する接触を感知するセンサと、該接触が感知されたとき検知信号を無線発信して制御部３３に伝え電源投入指令をスイッチ５１ｂに出力させる無線発信手段とを有するカメラ用アタッチメントとを設ける。これにより、撮影していないときは節電モードとなるため、バッテリの消耗が回避される。【選択図】  図５
2006243118.tif 000002
【特許請求の範囲】
【請求項１】
パトローネからフィルムを所定長さ引き出した形状の筐体を備え、前記フィルムに対応する箇所に固体撮像素子を搭載し、前記パトローネに対応する箇所に前記固体撮像素子を駆動すると共に該固体撮像素子から読み出したデータを処理する電子回路及びバッテリ電源を収納して構成され、フィルムカメラにフィルムの代わりに装着してデジタル画像を撮影するパトローネ型固体撮像装置において、前記バッテリ電源からの電力供給を受けて動作する制御部と、該制御部からの電源投入指令があったとき前記バッテリ電源の電力を前記電子回路に供給するスイッチ手段と、前記筐体とは別体に構成され前記制御部に無線を介して接続されるカメラ用アタッチメントであって、前記フィルムカメラのレリーズボタンに重ねて装着され該レリーズボタンと一体に押下されるボタンと、該ボタンに対する接触を感知するセンサと、該接触が感知されたとき検知信号を無線発信して前記制御部に伝え前記電源投入指令を前記スイッチ手段に出力させる無線発信手段とを有するカメラ用アタッチメントとを備えることを特徴とするパトローネ型固体撮像装置。
【発明の詳細な説明】
【技術分野】
【０００１】
本発明は銀塩フィルムカメラに装着してデジタル画像を撮像するパトローネ型固体撮像装置に係り、特に、バッテリの省電力を図り長時間のデジタル画像の撮像を可能にするパトローネ型固体撮像装置に関する。
【背景技術】
【０００２】
図７は、従来のパトローネ型固体撮像装置の斜視図であり、下記の特許文献１，２，３に開示されている。従来のパトローネ型固体撮像装置１は、銀塩フィルムを収納するパトローネから１０ｃｍ程度の所定長さのフィルムを引き出した形状の筐体２を備え、この筐体２のフィルム対応部分３に固体撮像素子４を取り付け、パトローネ対応部分５に電子回路やバッテリ電源を収納する構成になっている。
【０００３】
そして、図８に示す様に、フィルムカメラ５の裏蓋６を開けて、固体撮像素子４がレンズ７方向に向くようにパトローネ型固体撮像装置１をフィルムカメラ５内に装着し、裏蓋６を閉じる。
【０００４】
フィルムカメラ５のレリーズボタン８を半押ししてＳ１スイッチが投入されると、フィルムカメラ５のオートフォーカス機能や露出機能が動作してフォーカスレンズ位置や絞り開口量、シャッター速度が決定され、レリーズボタン８を全押ししてＳ２スイッチが投入されると、シャッターが切られる。これにより、レンズ７を通して撮像された被写体画像が固体撮像素子４に結像され、固体撮像素子４からデジタル画像データが電子回路内のメモリに取り込まれる。
【０００５】
【特許文献１】特開平９―９８３２６号公報
【特許文献２】特開２０００―１８４２５０号公報
【特許文献３】特開２００３―２３４９３２号公報
【発明の開示】
【発明が解決しようとする課題】
【０００６】
従来のパトローネ型固体撮像装置は、筐体２に設けられた電源スイッチを投入してカメラ５内に収納される関係で、常時電源オン状態となる。このため、カメラ５で撮影を行わない間もバッテリ電源を消費し、長時間にわたるデジタル画像の撮像に不向きであるという問題がある。また、カメラ５の裏蓋６を一々開けて電源スイッチをオンオフすればバッテリ電源を長時間保つことができるが、それではシャッターチャンスを逃すことになってしまう。
【０００７】
本発明の目的は、バッテリ電源を長時間保つことができ、しかもシャッターチャンスを逃すことがないパトローネ型固体撮像装置を提供することにある。
【課題を解決するための手段】
【０００８】
本発明のパトローネ型固体撮像装置は、パトローネからフィルムを所定長さ引き出した形状の筐体を備え、前記フィルムに対応する箇所に固体撮像素子を搭載し、前記パトローネに対応する箇所に前記固体撮像素子を駆動すると共に該固体撮像素子から読み出したデータを処理する電子回路及びバッテリ電源を収納して構成され、フィルムカメラにフィルムの代わりに装着してデジタル画像を撮影するパトローネ型固体撮像装置において、前記バッテリ電源からの電力供給を受けて動作する制御部と、該制御部からの電源投入指令があったとき前記バッテリ電源の電力を前記電子回路に供給するスイッチ手段と、前記筐体とは別体に構成され前記制御部に無線を介して接続されるカメラ用アタッチメントであって、前記フィルムカメラのレリーズボタンに重ねて装着され該レリーズボタンと一体に押下されるボタンと、該ボタンに対する接触を感知するセンサと、該接触が感知されたとき検知信号を無線発信して前記制御部に伝え前記電源投入指令を前記スイッチ手段に出力させる無線発信手段とを有するカメラ用アタッチメントとを備えることを特徴とする。
【発明の効果】
【０００９】
本発明によれば、ユーザが撮影しようとしてレリーズボタンを押下しようとする動作によってバッテリ電源が投入され、撮影動作を止めると自動的に節電モードに入るため、バッテリの消耗を抑制することができ、デジタル画像の撮影を長時間に亘って行うことが可能となる。
【発明を実施するための最良の形態】
【００１０】
以下、本発明の一実施形態について、図面を参照して説明する。
【００１１】
図１は、本発明の一実施形態に係るパトローネ型固体撮像装置を装着した銀塩フィルムカメラの説明図である。本実施形態に係るパトローネ型固体撮像装置１０は、図８と同様にフィルムカメラ１１内に裏蓋１２を開けて装着されるが、本実施形態では更に、フィルムカメラ１１のレリーズボタン１３が設けられた部分に着脱自在に嵌合することができるカメラ用アタッチメント１５を設ける。このカメラ用アタッチメント１５には、レリーズボタン１３を覆いレリーズボタン１３と一体に押下することができるボタン１６が設けられている。
【００１２】
図２は、カメラ用アタッチメント１５の内部回路を示す図である。このカメラ用アタッチメント１５は、ボタン１６にユーザの指がタッチしたことを感知するタッチセンサ１７と、ボタン１６にタッチされていることをタッチセンサ１７が感知したとき所定周波数で発振する発振回路（無線発信手段）１８と、発振回路１８の出力を無線により出力するアンテナ１９と、発振回路１８やタッチセンサ１７に電力を供給するボタン電池２０とを備える。
【００１３】
図３は、本実施形態に係るパトローネ型固体撮像装置１０の正面斜視図である。このパトローネ型固体撮像装置１０の筐体２１のフィルム対応部分２２には固体撮像素子２３が取り付けられており、パトローネ対応部分２４には、交換可能なバッテリ電源２５と、電子回路２６とが収納されている。
【００１４】
図４は、図３に示すパトローネ型固体撮像装置１０の背面斜視図である。パトローネ型固体撮像装置１０の背面部分の所定箇所には、電源投入用の押しボタン３０と、アンテナ３１とが設けられている。この所定箇所は、フィルムカメラ１１にフィルム確認用の窓が設けられている場合にはこの窓に対面する箇所が好ましく、押しボタン３０が押され押しボタン３０自身を発光させたときこれを窓から容易に確認可能となる。
【００１５】
図５は、図３，図４に示すパトローネ型固体撮像装置１０の機能構成ブロック図（図３に示す電子回路２６の機能構成を含む。）である。本実施形態のパトローネ型固体撮像装置１０は、パトローネ型固体撮像装置１０の全体を統括制御するＣＰＵ３３と、固体撮像素子２３の駆動をＣＰＵ（制御部）３３からの指示により制御する撮像素子駆動部３５と、固体撮像素子２３の出力データを取り込んでＣＰＵ３３からの指示により信号処理するアナログ信号処理部３６と、アナログ信号処理部３６から出力される画像データをデジタルデータに変換するＡ／Ｄ変換器３７とを備える。
【００１６】
パトローネ型固体撮像装置１０の電気制御系は、フレームメモリ４１に接続されたメモリ制御部４２と、Ａ／Ｄ変換器３７から出力されるデジタルの画像データを取り込んでガンマ補正やＲＧＢ／ＹＣ変換等の画像処理を行うデジタル信号処理部４３と、撮像画像をＪＰＥＧ画像に圧縮したり圧縮画像を伸張したりする圧縮伸張処理部４４と、撮像画像データを積算してホワイトバランスのゲインを調整させる積算部４５と、ＪＰＥＧ画像データ等の撮像画像データを保存する記録媒体４６及びこの記録媒体４６を制御するメモリ制御部４７と、アンテナ３１に接続され外部との間で無線通信を行う無線インタフェース４８と、これらを相互に接続する制御バス４９及びデータバス５０を備える。
【００１７】
パトローネ型固体撮像装置１０の電源回路５１は図３に示すバッテリ２５を電力源とし、開閉スイッチ５１ａを介してＣＰＵ３３及び無線インタフェース４８に電力を供給すると共に、開閉スイッチ５１ｂを介してパトローネ型固体撮像装置１０を構成する各処理部（ＣＰＵ３３と無線インタフェース４８を除く。）に電力を供給する構成になっている。
【００１８】
そして、スイッチ５１ａは、図４に示す押しボタンスイッチ３０がユーザにより押下されたとき閉成され、ＣＰＵ３３と無線インタフェース４８とに電力供給がなされる。また、スイッチ５１ｂは、ＣＰＵ３３からの電源投入指令により開閉制御される。
【００１９】
次に、上述した構成のパトローネ型固体撮像装置１０の動作を、図６の電源制御処理手順を示すフローチャートを参照して説明する。
【００２０】
ユーザがパトローネ型固体撮像装置１０を使用するために、パトローネ型固体撮像装置１０を図１のフィルムカメラ１１内に装着するとき、押しボタン３０を押下してから装着する。これにより、図５の開閉スイッチ５１ａが閉成され、ＣＰＵ３３と無線インタフェース４８だけに電力が供給される。即ち、節電モードのもとで、図６の電源制御プログラムが起動する。そして、ユーザは、カメラ用アタッチメント１５をフィルムカメラ１１のレリーズボタン１３部分に嵌合装着する。
【００２１】
ユーザがデジタル画像を撮像しようとしてボタン１６に触れると、これをタッチセンサ１７が感知し、「タッチ有り」を示す無線信号がアタッチメント１５のアンテナ１９から発信される。図５のＣＰＵ３３は、図６のステップＳ１で「タッチ有り」の信号受信を待機しており、ＣＰＵ３３が無線インタフェース４８を介してアンテナ３１から「タッチ有り」の信号を受信したとき、ステップＳ２に進み、図５に示すスイッチ５１ｂを閉成する。これにより、パトローネ型固体撮像装置１０の全機能が動作可能状態となる。
【００２２】
その後に、ユーザはデジタル画像の撮像動作を行うが、この撮像動作は、図６の処理とは関係なく行われる。撮像動作は、通常のフィルムカメラの撮影と同様に行われる。即ち、ユーザがボタン１６を半押しすると、その下のレリーズボタン１３のＳ１スイッチが投入される。これにより、フィルムカメラ１１のオートフォーカス機能や露出機能等が動作してフォーカスレンズ位置の調整や絞り開口量の制御が行われ、また、フィルムカメラ１１に搭載されている図示しないＣＰＵ（勿論、ＣＰＵ３３とは異なる）がシャッター速度を決定する。
【００２３】
ユーザがボタン１６を全押しすると、その下のレリーズボタン１３のＳ２スイッチが投入され、フィルムカメラ１１のシャッタが上記のシャッター速度で切られる。即ち、フォーカルプレーンシャッタを搭載しているカメラであれば、フォーカルプレーンシャッタの前幕と後幕とが走行し、レンズシャッタを搭載しているカメラであれば、レンズシャッタの開閉が行われる。尚、勿論、シャッター速度や絞り開口量の制御、ピント調整等をマニュアル操作することも可能である。
【００２４】
これにより、固体撮像素子２３の受光面に被写体画像が結像し、固体撮像素子２３から、撮像画像のデータが、通常のデジタルカメラと同様に読み出され、記録媒体４６に格納される。
【００２５】
図６の電源制御プログラムは、デジタル画像の撮影中であってもアタッチメント１５からの「タッチ有り」信号が受信できなくなるのを待機しており（ステップＳ３）、「タッチ有り」信号が受信できなくなったときはステップＳ４に進み、スイッチ５１ｂを開放する。これにより再び節電モードに入ってＣＰＵ３３と無線インタフェース４８にのみ電力が供給され、バッテリ２５の消費が抑制される。
【００２６】
尚、図６に示す実施形態では、ユーザがボタン１６から指を離したとき直ちにスイッチ５１ｂが開放され指を接触させたときスイッチ５１ｂを閉成する構成としたが、指の接触、離間を検出する度に一々電源がオンオフされるのを避けるために、ソフトタイマなどを設け、指を離してから所定時間、例えば１分間は電源がオン状態に保たれるようにしてもよい。
【００２７】
以上述べた様に、本実施形態によれば、撮影動作に入るときにバッテリ電源が投入されて全駆動モードに入り、撮影動作に入らないときは節電モードに入るため、バッテリ電源２５の消耗を抑制でき、長時間の撮影が可能となる。
【００２８】
また、本実施形態のパトローネ型固体撮像装置１０は、フィルムカメラ１１側を何ら改造する必要がないため、フィルムカメラ１１を銀塩フィルムカメラとして使用するときは、単にパトローネ型固体撮像装置１０をカメラ１１から取り外し、代わりに銀塩フィルムを装着するだけで、フィルムカメラとして使用可能である。
【００２９】
即ち、本実施形態のパトローネ型固体撮像装置は、既存のフィルムカメラが持つ高価で高機能なレンズや堅牢なカメラボディをそのまま利用できると共に、固体撮像素子の製造技術が進歩して固体撮像素子の高画素化が更に進んだ場合には、新しい固体撮像素子を搭載したパトローネ型固体撮像装置をフィルムの様に交換して使用するだけで、ユーザは技術進歩の恩恵を安価に享受可能となる。
【００３０】
尚、上述した実施形態では、撮像画像データを記録媒体４６に格納しただけであり、パトローネ型固体撮像装置１０をカメラ１１から取り出しパソコン等にＵＳＢケーブル等で接続して外部に撮像画像データを読み出すことを前提としたが、例えば特許文献３に記載されている様に、無線インタフェース４８を利用して外部の携帯端末装置に画像データを伝送し、携帯端末装置の表示画面に撮像画像データを表示させる様にしても良いことはいうまでもない。
【００３１】
また、上記の携帯端末装置から無線インタフェース４８を通してＣＰＵ３３に指令を送り、固体撮像素子２３の感度切替や動画撮影や静止画撮影等の撮影モードの切替、ホワイトバランス補正の切替など、通常のデジタルカメラに搭載されている諸機能を行う構成を付加することも可能である。
【産業上の利用可能性】
【００３２】
本発明に係るパトローネ型固体撮像装置は、既存のフィルムカメラを何ら改造することなくそのレンズやカメラボディを利用可能となり、しかも、バッテリ電源の消費が抑制され長時間の使用が可能になるため、既存のレンズ付きデジタルカメラに代わるカメラとして有用である。
【図面の簡単な説明】
【００３３】
【図１】本発明の一実施形態に係るパトローネ型固体撮像装置を装着したフィルムカメラの背面斜視図である。
【図２】図２は、図１に示すカメラ用アタッチメントの構成回路図である。
【図３】本発明の一実施形態に係るパトローネ型固体撮像装置の正面斜視図である。
【図４】図３に示すパトローネ型固体撮像装置の背面斜視図である。
【図５】本発明の一実施形態に係るパトローネ型固体撮像装置の機能ブロック図である。
【図６】図５に示すＣＰＵが実行する電源制御プログラムの処理手順を示すフローチャートである。
【図７】従来のパトローネ型固体撮像装置の正面斜視図である。
【図８】図７に示すパトローネ型固体撮像装置の背面斜視図である。
【符号の説明】
【００３４】
１０  パトローネ型固体撮像装置
１１  フィルムカメラ
１２  裏蓋
１３  レリーズボタン
１５  カメラ用アタッチメント
１６  ボタン
１７  タッチセンサ
１８  発振回路（無線発信手段）
１９，３１  アンテナ
２０  ボタン電池
２１  筐体
２３  固体撮像素子
２５  バッテリ電源
３０  電源投入用の押しボタン
３３  ＣＰＵ
４８  無線インタフェース
５１  電源回路
５１ａ，５１ｂ  開閉スイッチ
【図１】
2006243118.tif 000003
【図２】
2006243118.tif 000004
【図３】
2006243118.tif 000005
【図４】
2006243118.tif 000006
【図５】
2006243118.tif 000007
【図６】
2006243118.tif 000008
【図７】
2006243118.tif 000009
【図８】
2006243118.tif 000010